(57)【特許請求の範囲】
【請求項１】
リミテッドスリップディファレンシャルを潤滑する方法であって、該方法は、
該リミテッドスリップディファレンシャルに、潤滑組成物を供給する工程を包含し、該潤滑組成物が、（ａ）潤滑粘度の油、および（ｂ）該潤滑組成物のうちの０．０２重量％〜０．９重量％のアジピン酸のＣ１０〜１５−ジエステルを含む摩擦調整剤パッケージを含む、方法。
【請求項２】
前記アジピン酸のＣ１０〜１５−ジエステルは、前記潤滑組成物の０．０５重量％〜０．５重量％で存在する、請求項１に記載の方法。
【請求項３】
前記アジピン酸のＣ１０〜１５−ジエステルは、前記潤滑組成物の０．１重量％〜０．３重量％で存在する、請求項１に記載の方法。
【請求項４】
前記ジエステルのアルコール由来部分は、Ｃ１３である、請求項１〜３のいずれか１項に記載の方法。
【請求項５】
前記ジエステルのアルコール由来部分は、直鎖状または分枝状である、請求項１〜４のいずれか１項に記載の方法。
【請求項６】
前記ジエステルのアルコール由来部分は、分枝状である、請求項１〜５のいずれか１項に記載の方法。
【請求項７】
前記ジエステルのアルコール由来部分は、Ｃ１３であり、そして分枝状である、請求項１〜６のいずれか１項に記載の方法。
【請求項８】
前記潤滑組成物は、リン含有化合物をさらに含む、請求項１〜７のいずれか１項に記載の方法。
【請求項９】
前記潤滑組成物は、（ａ）潤滑粘度の油、およびアジピン酸のＣ１０〜１５−ジエステルからなる摩擦調整剤パッケージ、およびリン含有化合物を含む、請求項１〜８のいずれか１項に記載の方法。
【請求項１０】
前記リン含有化合物は、リン酸エステルのアミン塩である、請求項８または９のいずれか１項に記載の方法。
【請求項１１】
前記リン化合物は、前記潤滑組成物のうちの０重量％〜５重量％で存在する、請求項８〜１０のいずれか１項に記載の方法。
【請求項１２】
前記リン化合物は、前記潤滑組成物のうちの０．０１重量％〜５重量％で存在する、請求項８〜１０のいずれか１項に記載の方法。
【請求項１３】
前記リン化合物は、前記潤滑組成物のうちの０．０５重量％〜４．５重量％で存在する、請求項８〜１０のいずれか１項に記載の方法。
【請求項１４】
前記リン化合物は、前記潤滑組成物のうちの０．１重量％〜２重量％で存在する、請求項８〜１０のいずれか１項に記載の方法。
【請求項１５】
前記リン化合物は、前記潤滑組成物のうちの０．２５重量％〜１重量％で存在する、請求項８〜１０のいずれか１項に記載の方法。
【請求項１６】
前記潤滑組成物は、（ａ）潤滑粘度の油、およびアジピン酸のＣ１０〜１５−ジエステルからなる摩擦調整剤パッケージ、および０．０５重量％〜４．５重量％のリン含有化合物を含む、請求項１〜８のいずれか１項に記載の方法。
【請求項１７】
前記潤滑粘度の油は、ＡＰＩグループＩＩＩもしくはＡＰＩグループＩＶの基油、またはそれらの混合物である、請求項１〜１６のいずれか１項に記載の方法。
【請求項１８】
硫黄含有化合物をさらに含む、請求項１〜１７のいずれか１項に記載の方法。
【請求項１９】
前記硫黄含有化合物は、ジメルカプトチアジアゾールまたはその誘導体、またはそれらの混合物である、請求項１８に記載の方法。
【請求項２０】
前記硫黄含有化合物は、ポリスルフィドまたは硫化オレフィンである、請求項１８に記載の方法。
【請求項２１】
前記リン含有化合物は、リン酸エステルのアミン塩である、請求項８に記載の方法。
【請求項２２】
前記リン酸エステルのアミン塩は、（ｉ）リン酸のヒドロキシ置換されたジエステル、（ｉｉ）リン酸のリン酸化されヒドロキシ置換されたジエステルまたはトリエステル、または（ｉｉｉ）それらの混合物、のアミン塩である、請求項２１に記載の方法。
【請求項２３】
前記潤滑組成物は、ホウ素含有化合物をさらに含む、請求項１〜２２のいずれか１項に記載の方法。
【請求項２４】
前記ホウ素含有化合物は、ホウ酸化分散剤、ホウ酸エステル、またはホウ酸化リン脂質である、請求項２３に記載の方法。
【請求項２５】
前記ホウ素含有化合物は、ホウ酸化リン脂質である、請求項２３に記載の方法。
【請求項２６】
前記潤滑組成物は、０．３重量％〜５重量％の範囲の硫黄含有量を有する、請求項１〜２５のいずれか１項に記載の方法。
【請求項２７】
前記潤滑組成物は、０．８重量％〜２．５重量％の範囲の硫黄含有量を有する、請求項１〜２５のいずれか１項に記載の方法。
【請求項２８】
前記リミテッドスリップディファレンシャルは、紙（またはセルロース）上の鋼のプレート材料を有する、請求項１〜２７のいずれか１項に記載の方法。
【請求項２９】
摩擦調整剤としての、リミテッドスリップディファレンシャルにおける組成物の使用であって、該組成物が、該潤滑組成物のうちの０．０２重量％〜０．９重量％のアジピン酸のＣ１０〜１５−ジエステルを含む、使用。
【発明の詳細な説明】
【技術分野】
【０００１】
（発明の分野）
本発明は、リミテッドスリップディファレンシャルを潤滑する方法に関し、上記方法は、上記リミテッドスリップディファレンシャルに、（ａ）潤滑粘度の油、および（ｂ）ジカルボン酸のＣ４〜３０−ジエステルを含む潤滑組成物を供給する工程を包含する。本発明は、代表的には、リミテッドスリップディファレンシャルにおける、摩擦調整剤としての上記ジカルボン酸のＣ４〜３０−ジエステルの使用をさらに提供する。
【背景技術】
【０００２】
（発明の背景）
車両におけるリミテッドスリップディファレンシャルは、代表的には、湿式マルチプレートクラッチを使用し、すなわち、クラッチプレートは、潤滑剤中に浸漬されている。上記リミテッドスリップディファレンシャルは、代表的には、それらの回転速度とは無関係に２つの駆動ホイールに対して均一に駆動トルクを分布させるベベルギアまたはスパーギア遊星形システム（ｐｌａｎｅｔａｒｙ  ｓｙｓｔｅｍ）を有する。このことは、上記駆動されたホイールが、それらの異なる回転速度にも拘わらず、上記ホイールと道路表面との間の空転（ｓｌｉｐ）なしに曲がる間に回転することを可能にする。上記空転が制御されるように、摩擦性能、分散剤および硫黄含有極圧剤および／またはリン含有極圧剤を改善し得る化合物を含む潤滑剤が、使用され得る。このタイプの潤滑剤の例は、特許文献１、特許文献２、特許文献３、特許文献４、および特許文献５に開示されている。
【０００３】
特許文献６は、１００℃において、４〜３２ｍｍ２／ｓの範囲の動粘度を有するギア潤滑組成物を開示する。上記組成物は、２０体積％より多くの水素化ポリ−α−オレフィン、および８０体積％未満の鉱油または合成エステル油またはそれらの組み合わせを含む。上記例は、１０体積％のビス（トリデシル）−アジペートを含む。上記ギアが記載され、上記ギアは、特に、シンクロナイザータイプのマニュアルトランスミッションを備えた大型車両における使用のためのトランスミッションである。
【０００４】
特許文献７は、自動車のヘビーデューティー車軸ギア潤滑剤およびミディアムデューティー車軸ギア潤滑剤、ならびにトランスミッション流体適用における使用のための、合成ギア油のためのベースストックを開示する。そこで開示される潤滑剤は、１重量％〜２０重量％のエステルを含む。上記エステルは、Ｃ８〜１３アジペートのジエステル、特に、アジピン酸ジ−イソデシルを含む。
【０００５】
特許文献８は、２５〜６０質量％の少なくとも１種のジカルボン酸のジ−Ｃ８〜１２アルキルエステルを含むギア潤滑剤または車軸潤滑剤を開示する。そこで開示される潤滑剤全体は、摩擦に起因するパワー損失を低減させる、従って、燃料消費を一定に保つと報告されている。
【０００６】
特許文献９は、２〜３６個の炭素原子を有するジカルボン酸および４〜４０個の炭素原子を有する分枝状アルコールから得られる種々のジエステルを潤滑剤として使用することを開示する。上記潤滑剤は、０．１〜１００重量％、または５〜９９重量％のジエステルを含み得る。
【先行技術文献】
【特許文献】
【０００７】
【特許文献１】米国特許第４，３０８，１５４号明細書
【特許文献２】米国特許第５，５４７，５８６号明細書
【特許文献３】米国特許第４，１８０，４６６号明細書
【特許文献４】米国特許第３，８２５，４９５号明細書
【特許文献５】欧州特許出願公開第０  ３９９  ７６４号明細書
【特許文献６】欧州特許出願公開第０  ７６７  ２３６号明細書
【特許文献７】国際公開第９８／０４６５８号
【特許文献８】米国特許第４，３７０，２４７号明細書
【特許文献９】カナダ国特許出願公開第２  ６３７  ４０１号明細書
【発明の概要】
【課題を解決するための手段】
【０００８】
本発明の発明者らは、本明細書で開示される潤滑組成物および方法が、（ｉ）潤滑熱安定性、（ｉｉ）潤滑酸化安定性、（ｉｉｉ）高い静止摩擦係数、（ｉｖ）省燃費、（ｖ）堆積物制御、（ｖｉ）シール適合性、（ｖｉｉ）清浄度、および（ｖｉｉｉ）がたがた音（すなわち、特に、高速コーナリング動作の間の異常騒音（代表的には、低周波数の「うなり音」および「ギシギシ音」といわれる））としてしばしば現れる騒音、振動および不快音（ＮＶＨ）に対する低い傾向、のうちの少なくとも１つの受容可能なレベルを提供し得ることを発見した。本発明者らはまた、予測外にも、本明細書で開示される潤滑組成物および方法がまた、１つ以上の異なるプレート材料を有するリミテッドスリップシステムに適切であり得ることを発見した。例えば、上記プレート材料は、鋼、紙、セラミック、炭素繊維およびセラミック上の鋼、紙中の炭素繊維、または紙上の鋼のようなプレートタイプの混合物を使用するシステムであり得る。一実施形態において、上記プレート材料は、紙であり得る。
【０００９】
一実施形態において、本発明は、リミテッドスリップディファレンシャルを潤滑する方法を提供し、上記方法は、上記リミテッドスリップディファレンシャルに、（ａ）潤滑粘度の油、および（ｂ）ジカルボン酸のＣ４〜３０−ジエステル、またはそれらの混合物を含む潤滑組成物を供給する工程を包含し、ここで上記ジカルボン酸は、式ＨＯ（Ｏ）Ｃ−Ｒ１−Ｃ（Ｏ）ＯＨを有し、Ｒ１は、２〜３８個、または２〜２８個の炭素原子を有する脂肪族基であり得る。
【００１０】
上記Ｃ４〜３０−ジエステルのエステル基に存在する炭素原子数は、４〜３０個の炭素原子を含み得る。本明細書で使用される場合、「エステル基」とは、上記エステルのアルコール由来部分、すなわち、カルボン酸ＲＣＯＯＨの場合にはエステルＲＣＯＯＲ’中のＲ’を意味し、ここでＲ’は、炭素原子の示された数のヒドロカルビル基であり得る。
【００１１】
一実施形態において、上記カルボン酸は、式ＨＯ（Ｏ）Ｃ−Ｒ１−Ｃ（Ｏ）ＯＨを有し得、Ｒ１は、５〜８個の炭素原子を有する脂肪族基であり得る（代表的には、Ｒ１は、アルキレン基であり得る）。上記カルボン酸は、飽和していてもよいし、不飽和であってもよい。
【００１２】
異なる実施形態において、本明細書で開示される上記カルボン酸のＣ４〜３０−ジエステルの上記エステル基のアルコール由来部分は、Ｃ８〜２０、またはＣ１０〜１５、またはＣ１３であり得る。上記ジエステルのエステル基は、直鎖状であっても、分枝状であってもよく、代表的には、分枝状である。
【００１３】
一実施形態において、本発明は、リミテッドスリップディファレンシャルを潤滑する方法を提供し、上記方法は、上記リミテッドスリップディファレンシャルに、（ａ）潤滑粘度の油、および（ｂ）アジピン酸のＣ４〜３０−ジエステルを含む潤滑組成物を供給する工程を包含する。
【００１４】
一実施形態において、本発明は、リミテッドスリップディファレンシャルを潤滑する方法を提供し、上記方法は、上記リミテッドスリップディファレンシャルに、（ａ）潤滑粘度の油、（ｂ）ジカルボン酸のＣ４〜３０−ジエステルであって、ここで上記ジカルボン酸は、式ＨＯ（Ｏ）Ｃ−Ｒ１−Ｃ（Ｏ）ＯＨを有し、Ｒ１は、２〜３８個、または２〜２８個の炭素原子を有する脂肪族基（代表的には、アジピン酸のＣ４〜３０−ジエステル）であり得る、ジカルボン酸のＣ４〜３０−ジエステル、および（ｃ）リン含有化合物を含む潤滑組成物を供給する工程を包含する。
【００１５】
一実施形態において、本発明は、リミテッドスリップディファレンシャルを潤滑する方法を提供し、上記方法は、上記リミテッドスリップディファレンシャルに、（ａ）潤滑粘度の油、およびジカルボン酸のＣ４〜３０−ジエステルからなるか、または代わりにジカルボン酸のＣ４〜３０−ジエステルを含む摩擦調整剤パッケージであって、ここで上記ジカルボン酸は、式ＨＯ（Ｏ）Ｃ−Ｒ１−Ｃ（Ｏ）ＯＨを有し、Ｒ１は、２〜３８個、または２〜２８個の炭素原子を有する脂肪族基（代表的には、アジピン酸のＣ４〜３０−ジエステル）であり得る、摩擦調整剤パッケージ、およびリン含有化合物を含む潤滑組成物を供給する工程を包含する。
【００１６】
一実施形態において、上記潤滑組成物は、（ａ）潤滑粘度の油、およびアジピン酸のＣ４〜３０−ジエステルからなるか、または代わりにアジピン酸のＣ４〜３０−ジエステルを含む摩擦調整剤パッケージ、および０．０５重量％〜４．５重量％のリン含有化合物を含む。
【００１７】
一実施形態において、本発明は、リミテッドスリップディファレンシャルを潤滑する方法を提供し、上記方法は、上記リミテッドスリップディファレンシャルに、（ａ）潤滑粘度の油であって、ここで上記潤滑粘度の油は、ＡＰＩグループＩＩＩもしくはＡＰＩグループＩＶの基油、またはそれらの混合物である、潤滑粘度の油、（ｂ）ジカルボン酸のＣ４〜３０−ジエステルであって、ここで上記ジカルボン酸は、式ＨＯ（Ｏ）Ｃ−Ｒ１−Ｃ（Ｏ）ＯＨを有し、Ｒ１は、２〜３８個の炭素原子を有する脂肪族基（代表的には、アジピン酸のＣ４〜３０−ジエステル）であり得る、ジカルボン酸のＣ４〜３０−ジエステル、および（ｃ）リン含有化合物を含む潤滑組成物を供給する工程を包含する。
【００１８】
本明細書で開示される潤滑組成物は、０．０１重量％〜１重量％未満、または０．０２重量％〜０．９重量％、または０．０５重量％〜０．５重量％、または０．１重量％〜０．３重量％の上記ジカルボン酸のＣ４〜３０−ジエステルを含み得、ここで上記ジカルボン酸は、式ＨＯ（Ｏ）Ｃ−Ｒ１−Ｃ（Ｏ）ＯＨを有し、Ｒ１は、２〜３８個の炭素原子を有する脂肪族基（代表的には、アジピン酸のＣ４〜３０−ジエステル）であり得る。
【００１９】
上記リミテッドスリップディファレンシャルは、一実施形態において、紙（またはセルロース）上の鋼のプレート接触表面を有し得る。
【００２０】
一実施形態において、本発明は、（ｉ）潤滑熱安定性、（ｉｉ）潤滑酸化安定性、（ｉｉｉ）摩擦、（ｉｖ）省燃費、（ｖ）堆積物制御、（ｖｉ）シール適合性、および（ｖｉｉ）がたがた音（異常騒音）のうちの少なくとも１つの受容可能なレベルを提供するために、リミテッドスリップディファレンシャルにおいて、（ａ）ジカルボン酸のＣ４〜３０−ジエステルであって、ここで上記ジカルボン酸は、式ＨＯ（Ｏ）Ｃ−Ｒ１−Ｃ（Ｏ）ＯＨを有し、Ｒ１は、２〜３８個の炭素原子を有する脂肪族基（代表的には、アジピン酸のＣ４〜３０−ジエステル）であり得る、ジカルボン酸のＣ４〜３０−ジエステル、および（ｂ）潤滑粘度の油を含む潤滑組成物の使用を提供する。一実施形態において、上記使用は、受容可能な摩擦レベルを提供する。
【００２１】
一実施形態において、本発明は、摩擦調整を提供するために、リミテッドスリップディファレンシャルにおいて、（ａ）潤滑粘度の油、（ｂ）ジカルボン酸のＣ４〜３０−ジエステルであって、ここで上記ジカルボン酸は、式ＨＯ（Ｏ）Ｃ−Ｒ１−Ｃ（Ｏ）ＯＨを有し、Ｒ１は、２〜３８個の炭素原子を有する脂肪族基（代表的には、アジピン酸のＣ４〜３０−ジエステル）であり得る、ジカルボン酸のＣ４〜３０−ジエステル、および（ｃ）リン含有化合物を含む潤滑組成物の使用を提供する。
【発明を実施するための形態】
【００２２】
（発明の詳細な説明）
本発明は、上記で開示される潤滑組成物および方法を提供する。
【００２３】
（ジカルボン酸のＣ４〜３０−ジエステル）
本明細書で開示されるジカルボン酸のＣ４〜３０−ジエステルとしては、グルタル酸、アジピン酸、ピメリン酸、スベリン酸、アゼライン酸、ブラシル酸、ドデカン二酸、タプシン酸、またはそれらの混合物のＣ４〜３０−ジエステルが挙げられ得る。一実施形態において、本明細書で開示されるジカルボン酸のＣ４〜３０−ジエステルは、アジピン酸のＣ４〜３０−ジエステルであり得る。
【００２４】
本明細書で開示されるジカルボン酸のＣ４〜３０−ジエステルのエステル基は、Ｃ８〜２０、またはＣ１０〜１５、またはＣ１３であり得る。エステル基の例としては、ブチル、２−メチルペンチル、２−プロピルヘプチル、２−ブチルオクチル、２−エチルヘキシル、オクチル、ネオオクチル、ネオヘプチル、ノニル、イソオクチル、イソノニル、ネオノニル（３，５，５−トリメチル−１−ヘキシルともいわれ得る）、デシル、ネオデシル、ウンデシル、５−メチルウンデシル、ドデシル、２−メチルドデシル、トリデシル、５−メチルトリデシル、テトラデシル、ペンタデシル、ヘキサデシル、２−メチルヘキサデシル、ヘプタデシル、５−イソピロピルヘプタデシル、３−イソプロピルオクタデシル、オクタデシル、ノナデシル、エイコシル、セチルエイコシル、ステアリルエイコシル、ドコシル、エイコシルテトラトリアコンチル、またはそれらの混合物が挙げられる。
【００２５】
一実施形態において、上記エステル基は、Ｃ８〜２０−分枝状アルキル基、またはＣ１０〜１５−分枝状アルキル基、またはＣ１３−分枝状アルキル基、代表的には、イソ−トリデシル、またはそれらの混合物であり得る。
【００２６】
本明細書で開示されるジカルボン酸のＣ４〜３０−ジエステルは、（ｉ）式ＨＯ（Ｏ）Ｃ−Ｒ１−Ｃ（Ｏ）ＯＨを有するカルボン酸であって、ここでＲ１は、２〜３８個の炭素原子を有する脂肪族基であり得るカルボン酸、および（ｉｉ）４〜３０個の炭素原子を有するアルコールのエステル化反応から得られ得る。このタイプの反応は、当業者に公知である。
【００２７】
（リン酸エステルのアミン塩）
一実施形態において、上記潤滑組成物は、リン含有化合物をさらに含む。上記リン含有化合物は、リン酸エステルのアミン塩であり得る。上記リン酸エステルのアミン塩を調製するために利用される上記リン酸は、リン酸、またはチオリン酸のいずれかであり得る。
【００２８】
上記リン酸エステル（ｐｈｏｓｐｈｏｒｕｓ  ａｃｉｄ  ｅｓｔｅｒ）のアミン塩は、上記潤滑組成物のうちの０重量％〜５重量％、または０．０１重量％〜５重量％、または０．０５重量％〜４．５重量％、または０．１重量％〜２重量％、または０．２５重量％〜１重量％で存在し得る。
【００２９】
上記リン酸エステルのアミン塩は、各々が１〜３０個、６〜３０個、８〜３０個、１０〜２４個または１２〜２０個、または１６〜２０個の炭素原子を有するエステル基を含み得るが、ただし、上記リン酸エステルのアミン塩は、潤滑粘度の油または調合された潤滑剤中に可溶性である。代表的には、４個以上の炭素原子を含むエステル基は、特に有用である。
【００３０】
適切なエステル基の例としては、イソプロピル、メチル−アミル（１，３−ジメチルブチルともいわれ得る）、２−エチルヘキシル、ヘプチル、オクチル、ノニル、デシル、ドデシル、ブタデシル、ペンタデシル、ヘキサデシル、ヘプタデシル、オクタデシル、ノナデシル、エイコシル、またはそれらの混合であり得る。
【００３１】
一実施形態において、上記エステル基は、イソプロピル、メチル−アミル（１，３−ジメチルブチルともいわれ得る）、２−エチルヘキシル、ヘプチル、オクチル、ノニル、デシル、およびそれらの混合からなる群より選択される。
【００３２】
上記アミン塩として使用するのに適切であり得るアミンとしては、一級アミン、２級アミン、三級アミン、およびそれらの混合物が挙げられる。上記アミンとしては、少なくとも１個のヒドロカルビル基、または特定の実施形態において、２個または３個のヒドロカルビル基を有するものが挙げられる。上記ヒドロカルビル基は、２〜３０個の炭素原子、または他の実施形態において、８〜２６個、または１０〜２０個、または１３〜１９個の炭素原子を含み得る。
【００３３】
一級アミンとしては、エチルアミン、プロピルアミン、ブチルアミン、２−エチルヘキシルアミン、オクチルアミン、およびドデシルアミン、ｎ−オクチルアミン、ｎ−デシルアミン、ｎ−ドデシルアミン、ｎ−テトラデシルアミン、ｎ−ヘキサデシルアミン、ｎ−オクタデシルアミンおよびオレイルアミンが挙げられる。他の有用な脂肪アミンとしては、市販の脂肪アミン（例えば、「Ａｒｍｅｅｎ（登録商標）」アミン（Ａｋｚｏ  Ｃｈｅｍｉｃａｌｓ，Ｃｈｉｃａｇｏ，Ｉｌｌｉｎｏｉｓから市販されている製品）（例えば、Ａｒｍｅｅｎ  Ｃ、Ａｒｍｅｅｎ  Ｏ、Ａｒｍｅｅｎ  ＯＬ、Ａｒｍｅｅｎ  Ｔ、Ａｒｍｅｅｎ  ＨＴ、Ａｒｍｅｅｎ  ＳおよびＡｒｍｅｅｎ  ＳＤ（ここで文字による名称は、脂肪基（例えば、ココ、オレイル、タロウ、ダイズまたはステアリル基に関する）））が挙げられる。
【００３４】
適切な二級アミンの例としては、ジメチルアミン、ジエチルアミン、ジプロピルアミン、ジブチルアミン、ジアミルアミン、ジヘキシルアミン、ジヘプチルアミン、メチルエチルアミン、エチルブチルアミン、エチルアミルアミン、ジココアミンおよびジ−２−エチルヘキシルアミンが挙げられる。上記二級アミンは、環式アミン（例えば、ピペリジン、ピペラジンおよびモルホリン）であり得る。
【００３５】
上記アミンはまた、三級脂肪族一級アミンであり得る。この場合の上記脂肪族基は、２〜３０個、または６〜２６個、または８〜２４個の炭素原子を含むアルキル基であり得る。三級アルキルアミンとしては、モノアミン（例えば、ｔｅｒｔ−ブチルアミン、ｔｅｒｔ−ヘキシルアミン、１−メチル−１−アミノ−シクロヘキサン、ｔｅｒｔ−オクチルアミン、ｔｅｒｔ−デシルアミン、ｔｅｒｔ−ドデシルアミン、ｔｅｒｔ−テトラデシルアミン、ｔｅｒｔ−ヘキサデシルアミン、ｔｅｒｔ−オクタデシルアミン、ｔｅｒｔ−テトラコサニルアミン、およびｔｅｒｔ−オクタコサニルアミンが挙げられる。
【００３６】
上記アミンは、式：Ｒ２（Ｒ３）ｂＮ−（Ｒ４−Ｃ（＝Ｏ）−Ｘ−（Ｒ５）ｃ）ａによって表され得、ここでＲ２は、１２〜２０個の炭素原子のヒドロカルビル基であるか、またはＲ２は、その窒素原子上が１２〜２２個の炭素原子のヒドロカルビル基によって置換された、最大までの３個までの炭素原子のアミノアルキル基であり；Ｒ３は、水素またはヒドロカルビル基であり；ａは、１または２であり、そしてｂは、２−ａである。すなわち、上記アミン窒素の上に１個または２個の−Ｒ４−Ｃ（＝Ｏ）Ｘ（Ｒ５）ｃ基が存在し得る。上記分子中に複数のアミン窒素原子が存在し、かつ複数の−Ｒ４−Ｃ（＝Ｏ）Ｘ（Ｒ５）ｃ基が存在する場合、このような基は、同じ窒素に結合されてもよいし、異なる窒素に結合されてもよい。
【００３７】
Ｒ４は、上記アミン窒素に結合される連結基であり得る。複数のＲ４基が存在する場合、それらは、同じであってもよいし、互いに異なっていてもよい。それらは、１〜４個の炭素原子のアルキレン基（例えば、メチレン、エチレン、エチリデン、プロピレン（１，２配置で（すなわち、メチルエチレン）または１，３配置で（すなわち、トリメチレン））、またはブチレン（１，２配置でまたは任意の他の配置で（例えば、１，４配置）（すなわち、テトラメチレン））であり得る。それらはまた、２〜８個の炭素原子の鎖であって、上記鎖内の１個もしくは２個の窒素原子または酸素原子に介在される炭素原子の鎖を含み得る。それらの例は、−ＣＨ２ＣＨ２ＣＨ２ＮＨＣＨ２ＣＨ２−または−ＣＨ２ＣＨ２ＣＨ２ＮＨＣＨ２ＣＨ２ＣＨ２ＮＨＣＨ２ＣＨ２−または−ＣＨ２ＣＨ２ＣＨ２ＯＣＨ２ＣＨ２−または−ＣＨ２ＣＨ２ＯＣＨ２ＣＨ２−を含み得る。
【００３８】
Ｘは、酸素または窒素のいずれかを表し得る。酸素の場合、得られる基は、カルボン酸またはエステルである。窒素の場合、得られる基は、アミドである。１個または２個のＲ５基は、その結合価を満たすために上記Ｘに結合される：酸素については１個のこのような基および窒素については２個のこのような基。すなわち、ｃは、場合により、１または２である。上記Ｘのうちのいくつかが窒素であり、いくつかが酸素であるように材料の混合物が存在する場合、ｃは、１〜２の間の有理数を有し得るが、それは、任意の所定の分子に関して、１または２のいずれかである。上記Ｒ５基は、独立して、水素、または１〜２０個の炭素原子のヒドロカルビル基（例えば、１２〜２０個の炭素原子（上記のように））または式−Ｒ４−ＮＨＲ６によって表される窒素含有基（ここでＲ４は、上記に定義されるとおりであり、Ｒ６は、１２〜２０個の炭素原子のヒドロカルビル基である（上記Ｒ４基内に含まれる上記Ｒ４は、各Ｒ４が、独立して、列挙される基のうちの１個であるという説明から意味されるように、上記で使用される場合、上記Ｒ４連結基のうちのいずれかに同一である必要はない）。−Ｃ（＝Ｏ）Ｘ（Ｒ５）ｃ基の具体例としては、−ＣＯＯＨ、−ＣＯＮＨ２、−ＣＯＯＣＨ３、−ＣＯＮＨＣＨ３、−ＣＯＮ（ＣＨ３）２、−ＣＯＮＨ−ココ、−ＣＯＮＨ−タロウ、および−ＣＯＮＨ−ＣＨ２ＣＨ２ＮＨ−タロウが挙げられ、ここで「ココ」および「タロウ」は、上記のように、ココアミンおよびタロウアミンのヒドロカルビル残基である。
【００３９】
本発明の特定のアミン（すなわち、上記カルボニル官能基を含む）は、アミンと、当量の不飽和エステル（例えば、アクリル酸メチル）との反応によって得られ得る。一般化された反応スキームは、以下のとおりであり：
【００４０】
【化１】
0005561882.tif 000002
【００４１】
そして得られるエステルは、公知の方法によってアミドまたは他の官能基に変換され得る。上記出発アミン（ここではＲ２Ｒ３ＮＨとして示される）は、適切なＲ基を有し得、ただしそれらのうちの少なくとも１個は、本発明の要件を満たすように選択される（例えば、１２〜２２個の炭素原子のヒドロカルビル基を含む）。特定の実施形態において、上記前駆体アミンＲ２Ｒ３ＮＨ自体は、Ａｋｚｏから市販される「Ｄｕｏｍｅｅｎ」シリーズのポリアミンであり得、例えば、以下の一般構造を有する：
【００４２】
【化２】
0005561882.tif 000003
【００４３】
リン酸エステルの上記アミン塩は、Ｃ１２〜２０アルキルリン酸と、三級Ｃ１１〜２２アルキル一級アミンとの反応生成物であり得る。
【００４４】
一実施形態において、リン酸エステルの上記アミン塩としては、Ｃ１１〜Ｃ１４三級アルキル一級アミンであるアミンまたはそれらの混合物が挙げられる。一実施形態において、リン化合物の上記アミン塩としては、Ｃ１４〜Ｃ１８三級アルキル一級アミンであるアミンまたはそれらの混合物が挙げられる。一実施形態において、リン化合物の上記アミン塩としては、Ｃ１８〜Ｃ２２三級アルキル一級アミンであるアミンまたはそれらの混合物が挙げられる。
【００４５】
一実施形態において、リン酸エステルの上記アミン塩としては、オクタデセニルリン酸と、Ｐｒｉｍｅｎｅ  ８１ＲＴＭとの反応生成物が挙げられる。
【００４６】
アミンの混合物がまた、本発明において使用され得る。一実施形態において、アミンの有用な混合物は、「ＰｒｉｍｅｎｅＴＭ  ８１Ｒ」および「ＰｒｉｍｅｎｅＴＭ  ＪＭＴ」である。ＰｒｉｍｅｎｅＴＭ  ８１ＲおよびＰｒｉｍｅｎｅＴＭ  ＪＭＴ（ともに、Ｒｏｈｍ  ＆  Ｈａａｓが製造および販売）は、それぞれ、Ｃ１１〜Ｃ１４三級アルキル一級アミンの混合物およびＣ１８〜Ｃ２２三級アルキル一級アミンの混合物である。
【００４７】
一実施形態において、リン酸エステルの上記アミン塩は、Ｃ１４〜Ｃ１８アルキルリン酸と、Ｃ１１〜Ｃ１４三級アルキル一級アミンの混合物であるＰｒｉｍｅｎｅ  ８１ＲＴＭ（Ｒｏｈｍ  ＆  Ｈａａｓが製造および販売）との反応生成物である。
【００４８】
リン酸炭化水素エステルの上記アミン塩は、米国特許第６，４６８，９４６号に記載されるように調製され得る。ここで第１０欄１５〜６３行目は、リン化合物の反応によって形成されるリン酸エステルと、続くアミンとの反応によってリン酸水素エステルのアミン塩が形成されることを記載する。第１０欄６４行目〜第１２欄２３行目は、五酸化リンとアルコール（４〜１３個の炭素原子を有する）との間の反応、続いて、アミン（代表的には、Ｐｒｉｍｅｎｅ（登録商標）８１−Ｒ）との間の反応によってリン酸炭化水素エステルのアミン塩を形成する、調製例を記載する。例示目的でＰ２Ｏ５を使用する、１つのいくらか単純化されすぎた模式的説明において、リン酸化剤とアルコール（複数可）との反応は、以下のように表され得る：
３ＲＯＨ＋Ｐ２Ｏ５→（ＲＯ）２Ｐ（＝Ｏ）ＯＨ＋ＲＯ−Ｐ（＝Ｏ）（ＯＨ）２
ここでＲＯＨは、アルコール（例えば、モノオールまたはポリオールまたはヒドロキシ含有カルボン酸化合物あるいはそれらの混合物）を表す。本明細書で記載されるように、上記残りのリン酸官能基は、少なくとも一部、アミンと反応させられ得る。
【００４９】
リン酸エステルの上記アミン塩の例としては、イソプロピルジチオリン酸、メチル−アミルジチオリン酸（１，３−ジメチルブチルジチオリン酸またはそれらの混合物）、２−エチルヘキシルジチオリン酸、ヘプチルジチオリン酸、オクチルジチオリン酸、ノニルジチオリン酸またはデシルジチオリン酸と、エチレンジアミン、モルホリン、またはＰｒｉｍｅｎｅ  ８１ＲＴＭとの反応生成物、およびそれらの混合物が挙げられる。
【００５０】
リン酸エステルの上記アミン塩の例としては、テトラデシルジチオリン酸、ペンタデシルジチオリン酸、ヘキサデシルジチオリン酸、ヘプタデシルジチオリン酸、オクタデシルジチオリン酸、ノナデシルジチオリン酸またはエイコシルジチオリン酸と、エチレンジアミン、モルホリン、またはＰｒｉｍｅｎｅ  ８１ＲＴＭとの反応生成物、およびそれらの混合物が挙げられる。一実施形態において、リン酸エステルの上記アミン塩としては、オクタデセニルジチオリン酸と、Ｐｒｉｍｅｎｅ  ８１ＲＴＭとの反応生成物が挙げられる。
【００５１】
一実施形態において、リン化合物の上記アミン塩は、（ｉ）リン酸のヒドロキシ置換されたジエステル（ａ  ｈｙｄｒｏｘｙ−ｓｕｂｓｔｉｔｕｔｅｄ  ｄｉ−  ｅｓｔｅｒ  ｏｆ  ｐｈｏｓｐｈｏｒｉｃ  ａｃｉｄ）、（ｉｉ）リン酸のリン酸化されヒドロキシ置換されたジエステルまたはトリエステル（ａ  ｐｈｏｓｐｈｏｒｙｌａｔｅｄ  ｈｙｄｒｏｘｙ−ｓｕｂｓｔｉｔｕｔｅｄ  ｄｉ−  ｏｒ  ｔｒｉ−  ｅｓｔｅｒ  ｏｆ  ｐｈｏｓｐｈｏｒｉｃ  ａｃｉｄ）、または（ｉｉｉ）それらの混合物、のアミン塩であり得る。このタイプの化合物のより詳細な説明は、国際公開ＷＯ  ２００８／０９４７５９に記載される。
【００５２】
一実施形態において、リン酸の上記アミン塩は、米国特許第３，１９７，４０５号に記載される化合物である。一実施形態において、上記で開示されるもの以外のリン化合物のアミン塩は、米国特許第３，１９７，４０５号の実施例１〜２５のうちのいずれか１つによって調製され得る。
【００５３】
一実施形態において、上記に記載されるもの以外のリン化合物のアミン塩は、ジチオリン酸がエポキシドまたはグリコールと反応することから調製される反応生成物である。この反応生成物は、リンの酸（ｐｈｏｓｐｈｏｒｕｓ  ａｃｉｄ）、無水物、または低級エステル（ここで「低級」とは、上記エステルのアルコール由来部分において１〜８個、または１〜６個、または１〜４個、または１〜２個の炭素原子を表す）とさらに反応させられる。上記エポキシドは、脂肪族エポキシドまたはスチレンオキシドを含む。有用なエポキシドの例としては、エチレンオキシド、プロピレンオキシド、ブテンオキシド、オクテンオキシド、ドデセンオキシド、およびスチレンオキシドなどが挙げられる。一実施形態において、上記エポキシドは、プロピレンオキシドである。上記グリコールとしては、１〜１２個、または２〜６個、または２〜３個の炭素原子を有する脂肪族グリコールが挙げられる。上記ジチオリン酸、グリコール、エポキシド、無機リン試薬、および上記のものを反応させるための方法は、米国特許第３，１９７，４０５号および同第３，５４４，４６５号に記載される。次いで、得られる酸は、アミンによって塩形成される。
【００５４】
適切なジチオリン酸ベースの生成物の例は、５８℃で五酸化リン（約６４ｇ）を４５分間にわたって、５１４ｇのヒドロキシプロピルＯ，Ｏ−ジ（１，３−ジメチルブチル）ホスホロジチオエート（ジ（１，３−ジメチルブチル）−ホスホロジチオ酸と１．３モルのプロピレンオキシドとを２５℃で反応させることによって調製される）に添加することによって調製される。上記混合物を、７５℃で２．５時間にわたって加熱し、珪藻土と混合し、７０℃で濾過する。上記濾液は、１１．８重量％のリン、１５．２重量％の硫黄、および酸価８７（ブロモフェノールブルー）を含む。
【００５５】
（潤滑粘度の油）
上記潤滑組成物は、潤滑粘度の油を含む。このような油としては、天然油および合成油、水素化分解、水素化、および水素化精製に由来する油、未精製の、精製された、および再精製された油、またはそれらの混合物が挙げられる。未精製の、精製された、および再精製された油のより詳細な説明は、国際公開ＷＯ２００８／１４７７０４、段落［００５４］〜［００５６］に提供される。天然および合成の潤滑油のより詳細な説明は、ＷＯ２００８／１４７７０４の段落［００５８］〜［００５９］に記載される。合成油はまた、Ｆｉｓｃｈｅｒ−Ｔｒｏｐｓｃｈ反応によって生成され得、代表的には、水素異性化（ｈｙｄｒｏｉｓｏｍｅｒｉｓｅｄ）Ｆｉｓｃｈｅｒ−Ｔｒｏｐｓｃｈ炭化水素またはワックスであり得る。一実施形態において、油は、Ｆｉｓｃｈｅｒ−ＴｒｏｐｓｃｈのＧＴＬ（ガス−トゥ−リキッド（ｇａｓ−ｔｏ−ｌｉｑｕｉｄ））合成手順、ならびに他のＧＴＬ油によって調製され得る。
【００５６】
潤滑粘度の油はまた、「付録Ｅ−ＡＰＩ  Ｂａｓｅ  Ｏｉｌ  Ｉｎｔｅｒｃｈａｎｇｅａｂｉｌｉｔｙ  Ｇｕｉｄｅｌｉｎｅｓ  ｆｏｒ  Ｐａｓｓｅｎｇｅｒ  Ｃａｒ  Ｍｏｔｏｒ  Ｏｉｌｓ  ａｎｄ  Ｄｉｅｓｅｌ  Ｅｎｇｉｎｅ  Ｏｉｌｓ」の２００８年４月バージョン、第１．３節  小見出し１．３．「Ｂａｓｅ  Ｓｔｏｃｋ  Ｃａｔｅｇｏｒｉｅｓ」に特定されるように定義され得る。一実施形態において、上記潤滑粘度の油は、ＡＰＩグループＩＩ、ＡＰＩグループＩＩＩまたはＡＰＩグループＩＶの基油であり得る。一実施形態において、上記潤滑粘度の油は、ＡＰＩグループＩＩＩの基油（代表的には、水素化分解した／水素異性化された基油を含む）、もしくはＡＰＩグループＩＶの基油、またはそれらの混合物であり得る。
【００５７】
存在する上記潤滑粘度の油の量は、代表的には、１００重量％から、本発明の化合物および他の性能添加剤の量の合計を差し引いた後に残っている残余である。
【００５８】
上記潤滑組成物は、濃縮物および／または完全に調合された潤滑剤の形態で存在し得る。本発明の潤滑組成物（本明細書中で開示される添加剤を含む）が、濃縮物（これは、さらなる油と合わされて、全体的にまたは部分的に最終の潤滑剤を形成し得る）の形態で存在する場合、それら添加剤  対  上記潤滑粘度の油および／またはそれら添加剤  対  希釈油の比は、重量単位で１：９９〜９９：１の範囲、または重量単位で１０：９０〜８０：２０の範囲を含む。
【００５９】
（他の性能添加剤）
本発明の組成物は、必要に応じて、少なくとも１種の他の性能添加剤をさらに含む。上記他の性能添加剤としては、分散剤、金属不活性化剤、界面活性剤、粘度調節剤、極圧剤（代表的には、ホウ素含有および／または硫黄含有および／またはリン含有）、耐摩耗剤、抗酸化剤（例えば、ヒンダードフェノール、アミン系抗酸化剤（ａｍｉｎｉｃ  ａｎｔｉｏｘｉｄａｎｔ）またはモリブデン化合物）、腐食抑制剤、発泡抑制剤（ｆｏａｍ  ｉｎｈｉｂｉｔｏｒ）、解乳化剤、流動点降下剤、シール膨潤剤、摩擦調整剤およびそれらの混合物が挙げられる。
【００６０】
油非含有ベースに存在する上記他の性能添加剤（上記粘度調節剤を除く）の合計組み合わせ量は、上記組成物のうちの０重量％〜２５重量％、または０．０１重量％〜２０重量％、または０．１重量％〜１５重量％、または０．５重量％〜１０重量％、または１〜５重量％の範囲を含み得る。上記他の性能添加剤のうちの１種以上が存在し得るが、上記他の性能添加剤が、互いに関して異なる量で存在することは、通常である。
【００６１】
一実施形態において、上記潤滑組成物は、モリブデン含有添加剤を含まない。
【００６２】
（粘度調節剤）
一実施形態において、上記潤滑組成物は、１種以上の粘度調節剤をさらに含む。
【００６３】
存在する場合、上記粘度調節剤は、上記潤滑組成物のうちの０．５重量％〜７０重量％、または１重量％〜６０重量％、または５重量％〜５０重量％、または１０重量％〜５０重量％の量において存在し得る。
【００６４】
粘度調節剤は、（ａ）ポリメタクリレート、（ｂ）（ｉ）ビニル芳香族モノマーと、（ｉｉ）不飽和カルボン酸、無水物、またはその誘導体とのエステル化コポリマー、（ｃ）（ｉ）α−オレフィンと；（ｉｉ）不飽和カルボン酸、無水物、またはその誘導体とのエステル化インターポリマー、または（ｄ）スチレン−ブタジエンの水素化コポリマー、（ｅ）エチレン−プロピレンコポリマー、（ｆ）ポリイソブテン、（ｇ）水素化スチレン−イソプレンポリマー、（ｈ）水素化イソプレンポリマー、あるいは（ｉ）それらの混合物を含む。
【００６５】
一実施形態において、上記粘度調節剤は、（ａ）ポリメタクリレート、（ｂ）（ｉ）ビニル芳香族モノマー；と（ｉｉ）不飽和カルボン酸、無水物、またはその誘導体とのエステル化コポリマー、（ｃ）（ｉ）α−オレフィン；と（ｉｉ）不飽和カルボン酸、無水物、またはその誘導体とのエステル化インターポリマー、または（ｄ）それらの混合物を含む。
【００６６】
（極圧剤）
極圧剤は、ホウ素および／または硫黄および／またはリンを含む化合物を含む。
【００６７】
上記極圧剤は、上記潤滑組成物のうちの０重量％〜２０重量％、または０．０５重量％〜１０重量％、または０．１重量％〜８重量％において、上記潤滑組成物中に存在し得る。
【００６８】
一実施形態において、上記極圧剤は、硫黄含有化合物である。一実施形態において、上記硫黄含有化合物は、硫化オレフィン、ポリスルフィド、またはそれらの混合物であり得る。
【００６９】
上記硫化オレフィンの例としては、プロピレン、イソブチレン、ペンテンから由来する硫化オレフィン；有機スルフィドおよび／またはポリスルフィド（ベンジルジスルフィド；ビス−（クロロベンジル）ジスルフィド；ジブチルテトラスルフィド；ジ−三級ブチルポリスルフィド；およびオレイン酸の硫化メチルエステルが挙げられる）、硫化アルキルフェノール、硫化ジペンテン、硫化テルペン、硫化Ｄｉｅｌｓ−Ａｌｄｅｒ付加物、アルキルスルフェニルＮ’Ｎ−ジアルキルジチオカルバメート；またはそれらの混合物が挙げられる。一実施形態において、上記硫化オレフィンは、プロピレン、イソブチレン、ペンテンまたはそれらの混合物に由来する硫化オレフィンを含む。
【００７０】
一実施形態において、上記極圧剤である硫黄含有化合物は、ジメルカプトチアジアゾールまたはその誘導体またはそれらの混合物を含む。ジメルカプトチアジアゾールの例としては、２，５−ジメルカプト−１，３，４−チアジアゾールまたはヒドロカルビル置換された２，５−ジメルカプト−１，３，４−チアジアゾールなどの化合物、またはそれらのオリゴマーが挙げられる。上記ヒドロカルビル置換された２，５−ジメルカプト−１，３，４−チアジアゾールのオリゴマーは、代表的には、２，５−ジメルカプト−１，３，４−チアジアゾールユニット間に硫黄−硫黄結合を形成して、上記チアジアゾールユニットのうちの２個以上の誘導体またはオリゴマーを形成することによって形成する。適切な２，５−ジメルカプト−１，３−４−チアジアゾール由来化合物としては、例えば、２，５−ビス（ｔｅｒｔ−ノニルジチオ）−１，３，４−チアジアゾールまたは２−ｔｅｒｔ−ノニルジチオ−５−メルカプト−１，３，４−チアジアゾールが挙げられる。
【００７１】
上記ヒドロカルビル置換された２，５−ジメルカプト−１，３，４−チアジアゾールの上記ヒドロカルビル置換基上の炭素原子数としては、代表的には、１〜３０個、または２〜２０個、または３〜１６個が挙げられる。
【００７２】
一実施形態において、上記ジメルカプトチアジアゾールは、チアジアゾール官能基化分散剤であり得る。上記チアジアゾール官能基化分散剤の詳細な説明は、国際公開ＷＯ  ２００８／０１４３１５の段落［００２８］〜［００５２］に記載される。
【００７３】
上記チアジアゾール官能基化分散剤は、チアジアゾール化合物と分散剤基質とを加熱、反応または錯体化する工程を包含する方法によって調製され得る。上記チアジアゾール化合物は、分散剤、またはそれらの混合物と共有結合され得るか、塩形成され得るか、錯体化され得るか、または別の方法で溶解され得る。
【００７４】
上記チアジアゾール官能基化分散剤を調製するために使用される上記分散剤基質および上記チアジアゾールの相対量は、変動し得る。一実施形態において、上記チアジアゾール化合物は、上記分散剤基質１００重量部に対して０．１〜１０重量部で存在する。異なる実施形態において、上記チアジアゾール化合物は、上記分散剤基質１００重量部に対して、０．１より大きく９まで、または０．１より大きく５未満まで、または０．２〜５未満で存在する。上記チアジアゾール化合物  対  上記分散剤基質の相対量はまた、（０．１〜１０）：１００、または（＞０．１〜９）：１００（例えば、（＞０．５〜９）：１００）、または（０．１〜５未満）：１００、または（０．２〜５未満）：１００）として表され得る。
【００７５】
一実施形態において、上記分散剤基質は、上記チアジアゾール化合物１重量部に対して０．１〜１０重量部で存在する。異なる実施形態において、上記分散剤基質は、上記チアジアゾール化合物１重量部に対して、０．１より大きく９まで、または０．１より大きく５未満、または約０．２〜５未満で存在する。上記分散剤基質  対  上記チアジアゾール化合物の相対量はまた、（０．１〜１０）：１、または（＞０．１〜９）：１（例えば、（＞０．５〜９）：１）、または（０．１〜５未満）：１、または（０．２〜５未満）：１）として表され得る。
【００７６】
上記チアジアゾール官能基化分散剤は、スクシンイミド分散剤（例えば、Ｎ−置換された長鎖アルケニルスクシンイミド、代表的には、ポリイソブチレンスクシンイミド）、Ｍａｎｎｉｃｈ分散剤、エステル含有分散剤、脂肪ヒドロカルビルモノカルボン酸アシル化剤とアミンまたはアンモニアとの縮合生成物、アルキルアミノフェノール分散剤、ヒドロカルビル−アミン分散剤、ポリエーテル分散剤、ポリエーテルアミン分散剤、分散剤機能を含む粘性調整剤（例えば、分散剤機能を含むポリマー粘性指数調整剤（ＶＭ））、またはそれらの混合物を含む基質から得られ得る。一実施形態において、上記分散剤基質は、スクシンイミド分散剤、エステル含有分散剤またはＭａｎｎｉｃｈ分散剤を含む。
【００７７】
一実施形態において、上記極圧剤は、ホウ素含有化合物を含む。上記ホウ素含有化合物としては、ホウ酸エステル（これはまた、いくつかの実施形態において、ホウ酸化エポキシドともいわれ得る）、ホウ酸化アルコール、ホウ酸化分散剤、ホウ酸化リン脂質またはそれらの混合物が挙げられる。一実施形態において、上記ホウ素含有化合物は、ホウ酸エステルまたはホウ酸化アルコールであり得る。
【００７８】
上記ホウ酸エステルは、ホウ素化合物と、エポキシ化合物、ハロヒドリン化合物、エピハロヒドリン化合物、アルコールおよびそれらの混合物から選択される少なくとも１種の化合物との反応によって、調製され得る。上記アルコールとしては、二価アルコール、三価アルコール、または高級アルコールが挙げられるが、ただし、一実施形態に関しては、上記ヒドロキシル基は、隣接する炭素原子上に存在する（すなわち、ビシナルである）。
【００７９】
上記ホウ酸エステルを調製するために適したホウ素化合物としては、ホウ酸（メタホウ酸、ＨＢＯ２、オルトホウ酸、Ｈ３ＢＯ３、およびテトラホウ酸、Ｈ２Ｂ４Ｏ７が挙げられる）、酸化ホウ素、三酸化ホウ素（ｂｏｒｏｎ  ｔｒｉｏｘｉｄｅ）およびホウ酸アルキルからなる群より選択される種々の形態が挙げられる。上記ホウ酸エステルはまた、ホウ素ハライドから調製され得る。
【００８０】
一実施形態において、適切なホウ酸エステル化合物としては、ホウ酸トリプロピル、ホウ酸トリブチル、ホウ酸トリペンチル、ホウ酸トリヘキシル、ホウ酸トリヘプチル、ホウ酸トリオクチル、ホウ酸トリノニル、およびホウ酸トリデシルが挙げられる。一実施形態において、上記ホウ酸エステル化合物としては、ホウ酸トリブチル、トリ−２−エチルヘキシルボレートまたはそれらの混合物が挙げられる。
【００８１】
一実施形態において、上記ホウ素含有化合物は、代表的には、Ｎ−置換された長鎖アルケニルスクシンイミドから得られるホウ酸化分散剤である。一実施形態において、上記ホウ酸化分散剤としては、ポリイソブチレンスクシンイミドが挙げられる。ホウ酸化分散剤は、米国特許第３，０８７，９３６号；および同第３，２５４，０２５号により詳細に記載されている。
【００８２】
一実施形態において、上記ホウ酸化分散剤は、硫黄含有化合物またはホウ酸エステルとの組み合わせにおいて使用され得る。
【００８３】
一実施形態において、上記極圧剤は、ホウ酸化分散剤以外のものである。
【００８４】
上記長鎖アルケニル基が由来した炭化水素の数平均分子量は、３５０〜５０００、または５００〜３０００、または５５０〜１５００の範囲を包含する。上記長鎖アルケニル基は、５５０、または７５０、または９５０〜１０００の数平均分子量を有し得る。
【００８５】
上記Ｎ−置換された長鎖アルケニルスクシンイミドは、ホウ酸（例えば、メタホウ酸、ＨＢＯ２、オルトホウ酸、Ｈ３ＢＯ３、およびテトラホウ酸、Ｈ２Ｂ４Ｏ７）、酸化ホウ素（ｂｏｒｉｃ  ｏｘｉｄｅ）、三酸化ホウ素（ｂｏｒｏｎ  ｔｒｉｏｘｉｄｅ）、およびホウ酸アルキルを含む種々の薬剤を使用して、ホウ酸化される。一実施形態において、上記ホウ酸化剤は、ホウ酸であり、これは、単独で、または他のホウ酸化剤との組み合わせにおいて使用され得る。
【００８６】
上記ホウ酸化分散剤は、上記ホウ素化合物および上記Ｎ−置換された長鎖アルケニルスクシンイミドをブレンドし、それらを、適切な温度において（例えば、８０℃〜２５０℃、または９０℃〜２３０℃、または１００℃〜２１０℃）で所望の反応が起こるまで加熱することによって調製され得る。上記ホウ素化合物  対  上記Ｎ−置換された長鎖アルケニルスクシンイミドのモル比は、１０：１〜１：４、または４：１〜１：３を含む範囲を有し得るか；または上記ホウ素化合物  対  上記Ｎ−置換された長鎖アルケニルスクシンイミドのモル比は、１：２であり得る。あるいは、上記ホウ酸化分散剤におけるモルＢ：モルＮ（すなわち、原子Ｂ：原子Ｎ）の比は、０．２５：１〜１０：１または０．３３：１〜４：１または０．２：１〜１．５：１、または０．２５：１〜１．３：１または０．８：１〜１．２：１もしくは約０．５：１であり得る。不活性液体が、上記反応を行うにあたって使用され得る。上記液体は、トルエン、キシレン、クロロベンゼン、ジメチルホルムアミド、またはそれらの混合物を含み得る。
【００８７】
一実施形態において、上記潤滑組成物は、ホウ酸化リン脂質をさらに含む。上記ホウ酸化リン脂質は、リン脂質のボロン酸化（ｂｏｒｏｎａｔｉｏｎ）から得られ得る（例えば、ボロン酸化は、ホウ酸で行われ得る）。リン脂質およびレシチンは、「Ｅｎｃｙｃｌｏｐｅｄｉａ  ｏｆ  Ｃｈｅｍｃｉａｌ  Ｔｅｃｈｎｏｌｏｇｙ，Ｋｉｒｋ  ａｎｄ  Ｏｔｈｍｅｒ，３ｒｄ  Ｅｄｉｔｉｏｎ」における「Ｆａｔｓ  ａｎｄ  Ｆａｔｔｙ  Ｏｉｌｓ」，第９巻，７９５−８３１頁、および「Ｌｅｃｉｔｈｉｎｓ」，第１４巻，２５０−２６９頁に詳細に記載される。
【００８８】
上記リン脂質は、リン酸を含む任意の脂質（例えば、レシチンまたはセファリン）、またはそれらの誘導体であり得る。リン脂質の例としては、ホスファチジルコリン、ホスファチジルセリン、ホスファチジルイノシトール、ホスファチジルエタノールアミン、ホスファチジン酸およびそれらの混合物が挙げられる。上記リン脂質は、グリセロリン脂質、リン脂質の上記リストのグリセロ誘導体であり得る。代表的には、上記グリセロリン脂質は、１個または２個のアシル、アルキルまたはアルケニル基を、グリセロ残基上に有する。上記アルキルまたはアルケニル基は、８〜３０個、または８〜２５個、または１２〜２４個の炭素原子を含み得る。適切なアルキルまたはアルケニル基の例としては、オクチル、ドデシル、ヘキサデシル、オクタデシル、ドコサニル、オクテニル、ドデセニル、ヘキサデセニルおよびオクタデセニルが挙げられる。一実施形態において、上記リン脂質は、レシチン、またはその誘導体である。
【００８９】
リン脂質は、合成により調製されてもよいし、天然供給源に由来してもよい。合成リン脂質は、当業者に公知の方法によって調製され得る。天然に由来するリン脂質は、しばしば、当業者に公知の手順によって抽出される。リン脂質は、動物源または植物源に由来し得る。有用なリン脂質は、ヒマワリ種子に由来する。上記リン脂質は、代表的には、３５％〜６０％のホスファチジルコリン、２０％〜３５％のホスファチジルイノシトール、１％〜２５％のホスファチジン酸、および１０％〜２５％のホスファチジルエタノールアミンを含み、ここで上記パーセンテージは、総リン脂質に基づいた重量に従う。上記脂肪酸含有量は、２０重量％〜３０重量％のパルミチン酸、２重量％〜１０重量％のステアリン酸、１５重量％〜２５重量％のオレイン酸、および４０重量％〜５５重量％のリノール酸であり得る。
【００９０】
より詳細な説明およびホウ酸化リン脂質の調製法は、米国特許第５，４８７，８３８号に記載される。米国特許第５，４８７，８３８号の第２０欄６４行目〜第２２欄５１行目に開示される実施例１〜７は、ホウ酸化リン脂質の調製を例示する。ホウ酸化リン脂質はまた、国際公開ＷＯ  ２００９／０７３３９０、特に、段落［００１４］〜［００２４］に開示される。
【００９１】
摩擦調整剤（上記に記載されるもの以外）としては、脂肪アミン（例えば、エステル（例えば、ホウ酸化グリセロールエステル））、脂肪ホスファイト、脂肪酸アミド、脂肪エポキシド、ホウ酸化脂肪エポキシド、アルコキシル化脂肪アミン、ホウ酸化アルコキシル化脂肪アミン、脂肪酸の金属塩、または脂肪イミダゾリン、カルボン酸とポリアルキレン−ポリアミンとの縮合生成物が挙げられる。
【００９２】
一実施形態において、上記潤滑組成物は、上記のリン酸エステルのアミン塩の極圧剤として記載される化合物以外の、リン含有耐摩耗剤または硫黄含有耐摩耗剤を含み得る。上記耐摩耗剤の例としては、非イオン性リン化合物（代表的には、＋３または＋５の酸価状態のリン原子を有する化合物）、金属ジアルキルジチオホスフェート（代表的には、亜鉛ジアルキルジチオホスフェート）、金属モノアルキルホスフェートまたは金属ジアルキルホスフェート（代表的には、リン酸亜鉛）、またはそれらの混合物が挙げられ得る。
【００９３】
上記非イオン性リン化合物としては、亜リン酸エステル、リン酸エステル、またはそれらの混合物が挙げられる。上記非イオン性リン化合物のより詳細な説明は、米国特許第６，１０３，６７３号の第９欄第４８行目〜第１１欄第８行目を含む。
【００９４】
一実施形態において、本発明の潤滑組成物は、分散剤をさらに含む。上記分散剤は、スクシンイミド分散剤（例えば、Ｎ−置換された長鎖アルケニルスクシンイミド）、Ｍａｎｎｉｃｈ分散剤、エステル含有分散剤、脂肪ヒドロカルビルモノカルボン酸アシル化剤と、アミンまたはアンモニアとの縮合生成物、アルキルアミノフェノール分散剤、ヒドロカルビル−アミン分散剤、ポリエーテル分散剤またはポリエーテルアミン分散剤であり得る。
【００９５】
一実施形態において、上記スクシンイミド分散剤は、ポリイソブチレン−置換されたスクシンイミドを含み、ここで上記分散剤由来のポリイソブチレンは、４００〜５０００、または９５０〜１６００の数平均分子量を有し得る。
【００９６】
スクシンイミド分散剤およびそれらの調製法は、米国特許第４，２３４，４３５号および同第３，１７２，８９２号により詳細に記載されている。
【００９７】
適切なエステル含有分散剤は、代表的には、高分子量エステルである。それら物質は、米国特許第３，３８１，０２２号においてより詳細に記載されている。
【００９８】
一実施形態において、上記分散剤は、ホウ酸化分散剤を含む。代表的には、上記ホウ酸化分散剤は、ポリイソブチレンスクシンイミドを含む、スクシンイミド分散剤を含む。ここで上記分散剤由来のポリイソブチレンは、４００〜５０００の数平均分子量を有し得る。ホウ酸化分散剤は、上記極圧剤の説明の中で上記でより詳細に記載されている。
【００９９】
分散粘度調節剤（しばしば、ＤＶＭといわれる）は、官能基化ポリオレフィン（例えば、マレイン酸無水物とアミンとの反応生成物で官能基化されたエチレン−プロピレンコポリマー、アミンで官能基化されたポリメタクリレート、またはアミンと反応させられたエステル化スチレン−マレイン酸無水物コポリマーを含み、それらはまた、本発明の組成物において使用され得る。
【０１００】
腐食抑制剤としては、１−アミノ−２−プロパノール、オクチルアミンオクタノエート、ドデセニルコハク酸または無水物および／または脂肪酸（例えば、オレイン酸）と、ポリアミンとの縮合生成物が挙げられる。
【０１０１】
金属不活性化剤としては、ベンゾトリアゾールの誘導体（代表的には、トリルトリアゾール、１，２，４−トリアゾール、ベンゾイミダゾール、２−アルキルジチオベンゾイミダゾールまたは２−アルキルジチオベンゾチアゾール）が挙げられる。上記金属不活性化剤または、腐食抑制剤としても記載され得る。
【０１０２】
発泡抑制剤としては、アクリル酸エチルおよび２−エチルヘキシルアクリレートおよび必要に応じてビニルアセテートのコポリマーが挙げられる。
【０１０３】
解乳化剤としては、トリアルキルホスフェート、ならびにエチレングリコール、エチレンオキシド、プロピレンオキシド、またはそれらの混合物の種々のポリマーおよびコポリマーが挙げられる。
【０１０４】
流動点降下剤としては、マレイン酸無水物−スチレンのエステル、ポリメタクリレート、ポリアクリレートまたはポリアクリルアミドが挙げられる。
【０１０５】
シール膨潤剤としては、Ｅｘｘｏｎ  Ｎｅｃｔｏｎ−３７ＴＭ（ＦＮ  １３８０）およびＥｘｘｏｎ  Ｍｉｎｅｒａｌ  Ｓｅａｌ  ＯｉｌＴＭ（ＦＮ  ３２００）が挙げられる。
【０１０６】
（産業的適用）
上記リミテッドスリップディファレンシャルは、代表的には、差動ハウジング（ｄｉｆｆｅｒｅｎｔｉａｌ  ｈｏｕｓｉｎｇ）またはキャリア中に堆積した潤滑剤から分離された自給式潤滑剤供給と一体化する。上記リミテッドスリップディファレンシャルの自給式潤滑剤は、一般に、マニュアルトランスミッションまたはオートマチックトランスミッション流体に供給される潤滑剤とは異なる。リミテッドスリップディファレンシャルを含まないマニュアルトランスミッションシステムおよびオートマチックトランスミッションシステムの両方において、潤滑剤は、上記トランスミッション構成要素の全てを潤滑するのに十分である。
【０１０７】
車軸ギアは、多くの異なるタイプのディファレンシャル（ｄｉｆｆｅｒｅｎｔｉａｌ）のうちの１つを有し得る。ディファレンシャルは、代表的には、３つの主な機能を有する。第１の機能は、ホイールにエンジン出力を伝えることである。第２の機能は、上記ホイールへのトランスミッションから回転速度を遅らせる、車両における最終減速ギアとしての作用である。第３の機能は、ホイールへ出力を伝えると同時に、ホイールを異なる速度で回転させることである。多くのディファレンシャルは公知であり、それらディファレンシャルとしては、オープンディファレンシャル（ｏｐｅｎ  ｄｉｆｆｅｒｅｎｔｉａｌ）、クラッチタイプリミテッドスリップディファレンシャル、粘性カップリングディファレンシャル（ｖｉｓｃｏｕｓ  ｃｏｕｐｌｉｎｇ  ｄｉｆｆｅｒｅｎｔｉａｌ）、トルク感知ディファレンシャル（ｔｏｒｑｕｅ  ｓｅｎｓｉｎｇ  ｄｉｆｆｅｒｅｎｔｉａｌ）（例えば、ＪＴＥＫＴ  Ｔｏｒｓｅｎ  Ｎｏｒｔｈ  Ａｍｅｒｉｃａ  Ｉｎｃによって商標Ｔｏｒｓｅｎ（登録商標）の下で販売されているもの）およびロッキングディファレンシャル（ｌｏｃｋｉｎｇ  ｄｉｆｆｅｒｅｎｔｉａｌ）が挙げられる。それらディファレンシャルの全ては、車軸ギアと一般にいわれ得る。
【０１０８】
車軸ギアは、代表的には、潤滑剤を要する。上記潤滑調合物は、車軸ギアのタイプ、および上記車軸ギアの作動条件に依存する。例えば、オープンディファレンシャル車軸ギアは、耐摩耗添加剤および／または極圧添加剤を必要とすると考えられる。対照的に、リミテッドスリップディファレンシャルは、代表的には、摩擦調整剤を必要とする。なぜなら、オープンディファレンシャルに加えて（多くの車軸流体から公知）、スプリングパックおよびクラッチパックが、代表的には、存在するからである。上記クラッチパックは、１つ以上の反応プレート（しばしば、鋼から作製される）および１つ以上の摩擦プレートを含み得る。上記摩擦プレートは公知であり、そしてそれらは、紙（またはセルロース）、炭素、グラファイト、鋼および複合材を含む多くの材料から作製され得る。
【０１０９】
上記リミテッドスリップディファレンシャルに適した潤滑組成物は、０．３重量％〜５重量％、または０．５重量％〜５重量％、または０．５重量％〜３重量％、または０．８重量％〜２．５重量％、または１重量％〜２重量％の範囲中の硫黄含有量を有し得る。
【０１１０】
一実施形態において、上記リミテッドスリップディファレンシャルに適した潤滑組成物は、完全に調合された流体であり得る。
【０１１１】
一実施形態において、上記リミテッドスリップディファレンシャルに適した潤滑組成物は、トップ処理濃縮物（すなわち、存在する潤滑調合物に、トップ処理として加えられるのに適した濃縮物）であり得る。
【０１１２】
上記潤滑組成物が、トップ処理濃縮物の形態において存在する場合、上記濃縮物は、リミテッドスリップディファレンシャル中の潤滑剤の量に対して、０．２重量％〜１０重量％、または０．５重量％〜７重量％において添加され得る。
【０１１３】
上記の物質のうちのいくつかは、最終調合物中で相互作用し得、その結果、上記最終調合物の成分が、最初に添加されるものとは異なる可能性があることは、公知である。それによって形成される生成物（本発明の潤滑組成物をその意図された使用において使用する際に形成される生成物を含む）は、容易な記載が可能でないかもしれない。にもかかわらず、全てのこのような改変および反応生成物は、本発明の範囲内に包含される；本発明は、上記の成分を混合することによって調製される潤滑組成物を包含する。
【０１１４】
上記に言及される文書の各々は、本明細書に参考として援用される。実施例におけるもの、あるいは別の箇所で明示的に示されている場合を除いて、物質、反応条件、分子量、炭素原子数などの量を特定する本明細書中の全ての数量は、用語「約」によって修飾されていると理解されるべきである。別段示されない限り、本明細書で言及される各化学物質または組成物は、市販のグレードの物質であると解釈されるべきであり、それらは、異性体、副生成物、誘導体、および上記市販のグレードに存在することが通常理解される他のこのような物質を含み得る。しかし、各化学成分の量は、任意の溶媒または希釈油を除いて示され、上記溶媒または希釈油は、別段示されない限り、市販の物質中に慣例上存在し得る。本明細書で記載される上限および下限の量、範囲、および比の限定は、独立して組み合わされ得ることが理解されるべきである。同様に、本発明の各々の要素に対する範囲および量は、他の要素のうちのいずれかに対する範囲または量と一緒に使用され得る。
【０１１５】
本明細書で使用される場合、用語「ヒドロカルビル置換基」または「ヒドロカルビル基」は、その通常の意味において使用され、これは、当業者に周知である。具体的には、上記用語は、分子の残りに直接結合される炭素原子を有し、かつ主に炭化水素の特徴を有する基に言及する。ヒドロカルビル基の例としては、炭化水素置換基（脂肪族、脂環式、および芳香族の置換基を含む）；置換された炭化水素置換基（すなわち、非炭化水素基（これは、本発明の状況においては、上記置換基の主に炭化水素の特徴を変化させない）を含む置換基）；およびヘテロ置換基（すなわち、同様に主に炭化水素の特徴を有するが、環または鎖中に炭素以外のものを含む置換基）が挙げられる。用語「ヒドロカルビル置換基」または「ヒドロカルビル基」のより詳細な定義は、国際公開ＷＯ２００８１４７７０４の段落［０１１８］〜［０１１９］に記載される。
【０１１６】
本発明は、その好ましい実施形態に関連して説明されてきたが、その種々の改変は、本明細書を読めば、当業者に明らかになることが理解されるべきである。従って、本明細書で開示される発明は、添付の特許請求の範囲内にあるような改変を網羅することが意図されることが理解されるべきである。
例えば、本発明は、以下の項目を提供する。
（項目１）
リミテッドスリップディファレンシャルを潤滑する方法であって、該方法は、
該リミテッドスリップディファレンシャルに、（ａ）潤滑粘度の油、および（ｂ）アジピン酸のＣ４〜３０−ジエステルを含む潤滑組成物を供給する工程を包含する、方法。
（項目２）
前記アジピン酸のＣ４〜３０−ジエステルは、前記潤滑組成物のうちの０．０１重量％〜１重量％未満、または０．０２重量％〜０．９重量％、または０．０５重量％〜０．５重量％、または０．１重量％〜０．３重量％で存在する、項目１に記載の方法。
（項目３）
前記アジピン酸のＣ４〜３０−ジエステルは、前記潤滑組成物のうちの０．０１重量％〜１重量％未満で存在する、項目１に記載の方法。
（項目４）
前記ジエステルのアルコール由来部分は、Ｃ８〜２０、またはＣ１０〜１５、またはＣ１３である、項目１〜３のいずれか１項に記載の方法。
（項目５）
前記ジエステルのエステル基は、直鎖状または分枝状であり、代表的には、分枝状である、項目１〜４のいずれか１項に記載の方法。
（項目６）
前記ジエステルのエステル基は、Ｃ１３であり、そして該エステル基は、分枝状である、項目１〜５のいずれか１項に記載の方法。
（項目７）
前記潤滑組成物は、リン含有化合物をさらに含む、項目１〜６のいずれか１項に記載の方法。
（項目８）
前記潤滑組成物は、（ａ）潤滑粘度の油、およびアジピン酸のＣ４〜３０−ジエステルからなる摩擦調整剤パッケージ、およびリン含有化合物を含む、項目１〜７のいずれか１項に記載の方法。
（項目９）
前記リン含有化合物は、リン酸エステルのアミン塩である、項目７または８のいずれか１項に記載の方法。
（項目１０）
前記リン化合物（代表的には、リン酸エステルのアミン塩）は、前記潤滑組成物のうちの０重量％〜５重量％、または０．０１重量％〜５重量％、または０．０５重量％〜４．５重量％、または０．１重量％〜２重量％、または０．２５重量％〜１重量％で存在する、項目７〜９のいずれか１項に記載の方法。
（項目１１）
前記リン化合物（代表的には、リン酸エステルのアミン塩）は、前記潤滑組成物のうちの０．０５重量％〜４．５重量％、または０．１重量％〜２重量％、または０．２５重量％〜１重量％で存在する、項目７〜１０のいずれか１項に記載の方法。
（項目１２）
前記潤滑組成物は、（ａ）潤滑粘度の油、およびアジピン酸のＣ４〜３０−ジエステルからなる摩擦調整剤パッケージ、および０．０５重量％〜４．５重量％のリン含有化合物を含む、項目１〜７のいずれか１項に記載の方法。
（項目１３）
前記潤滑粘度の油は、ＡＰＩグループＩＩＩもしくはＡＰＩグループＩＶの基油、またはそれらの混合物である、項目１〜１２のいずれか１項に記載の方法。
（項目１４）
硫黄含有化合物をさらに含む、項目１〜１３のいずれか１項に記載の方法。
（項目１５）
前記硫黄含有化合物は、ジメルカプトチアジアゾールまたはその誘導体、またはそれらの混合物である、項目１４に記載の方法。
（項目１６）
前記硫黄含有化合物は、ポリスルフィドまたは硫化オレフィンである、項目１４に記載の方法。
（項目１７）
前記リン含有化合物は、リン酸エステルのアミン塩である、項目７に記載の方法。
（項目１８）
前記リン酸エステルのアミン塩は、（ｉ）リン酸のヒドロキシ置換されたジエステル、（ｉｉ）リン酸のリン酸化されヒドロキシ置換されたジエステルまたはトリエステル、または（ｉｉｉ）それらの混合物、のアミン塩である、項目１７に記載の方法。
（項目１９）
前記潤滑組成物は、ホウ素含有化合物をさらに含む、項目１〜１８のいずれか１項に記載の方法。
（項目２０）
前記ホウ素含有化合物は、ホウ酸化分散剤、ホウ酸エステル、またはホウ酸化リン脂質、代表的には、ホウ酸化リン脂質である、項目１９に記載の方法。
（項目２１）
前記潤滑組成物は、０．３重量％〜５重量％、または０．８重量％〜２．５重量％の範囲の硫黄含有量を有する、項目１〜２０のいずれか１項に記載の方法。
（項目２２）
前記リミテッドスリップディファレンシャルは、紙（またはセルロース）上の鋼のプレート材料を有する、項目１〜２１のいずれか１項に記載の方法。
（項目２３）
摩擦調整剤としての、リミテッドスリップディファレンシャルにおけるアジピン酸のＣ４〜３０−ジエステルの使用。